(57)【要約】      （修正有）【課題】ポータブルトイレで用い、設置面積を増大することなく、簡易にウォッシャーノズルを好適な位置に出し入れ可能な手動式ウォッシャー付きポータブルトイレを提供する。【解決手段】手動式ウォッシャー付ポータブルトイレ１００は、可搬式のボウル１０と、可搬式ボウルを取り外し可能に収容するとともに使用者が着座可能な台座部２０と、台座部に取付けられた給水部３０を含み、給水部からの液体を前記ボウルに噴射可能なウォッシャー２００を備える。ウォッシャーは、先端部に握り２２２が形成されかつ台座部の一方の側面側に配設されたレバー２２０と、台座部の両側面間に延びレバーの一端部が固定して取付けられる軸と、軸に対して固定された弧状のウォッシャーノズル２１０と、ウォッシャーノズルに給水部から水または温水を含む液体を選択的に供給する弁部とを備える。軸を介してレバーとウォッシャーノズルの回動角を一致させた。【選択図】図１
2020199060.tif 000002
【特許請求の範囲】
【請求項１】
可搬式のボウルと、この可搬式ボウルを取り外し可能に収容するとともに使用者が着座可能な台座部と、この台座部に取付けられた給水部を含み、この給水部からの液体を前記ボウルに噴射可能な尻洗浄用の手動式ウォッシャーを備える手動式ウォッシャー付きポータブルトイレであって、
前記ウォッシャーは、
先端部に握りが形成されかつ前記台座部の一方の側面側に配設されたレバーと、
前記台座部の両側面間に延び、その一端側に前記レバーの一端部が固定して取付けられる軸と、
前記軸に対して向きが固定された弧状のウォッシャーノズルと、
前記ウォッシャーノズルに前記給水部から水または温水を含む液体を選択的に供給する弁部とを備え、
前記軸を介して前記レバーと前記ウォッシャーノズルの回動角を一致させたことを特徴とする手動式ウォッシャー付きポータブルトイレ。
【請求項２】
前記軸は中空軸であり、この中空軸の長手方向中間部に流体出力穴を形成し、
この流体出力穴に連通する流体出力部と、
前記ウォッシャーノズルと前記流体出力部を接続する接続手段と、を設けたことを特徴とする請求項１に記載の手動式ウォッシャー付きポータブルトイレ。
【請求項３】
前記ウォッシャーノズルは一円弧状に形成されており、
前記ウォッシャーノズルの先端部であって使用者の尻に最も近接する外側面に尻洗浄穴を形成し、
前記尻洗浄穴は、前記レバーの回動角と同じ角度だけ前記中空軸の中心線周りに円運動を行うことを特徴とする請求項１または２に記載の手動式ウォッシャー付きポータブルトイレ。
【請求項４】
前記給水部は前記台座部の上方に位置する水容器を含み、
前記中空軸の長手方向中間部であって前記流体出力穴が設けられた位置とは異なる位置に流体入力穴が形成されており、
前記弁部は、前記中空軸への取付け穴が形成されかつ前記台座部に固定された流体入力ブロックを有し、前記水容器と前記流体入力ブロックを接続する接続手段を設け、前記流体入力ブロックに、前記中空軸への取付け穴と半径方向外側から連通する半径方向穴を形成し、前記レバーを回動することにより、前記半径方向穴と前記流体入力穴が連通または閉塞されて前記水容器に収容された水を前記中空軸へ供給または供給遮断することを特徴とする請求項１ないし３のいずれか１項に記載の手動式ウォッシャー付きポータブルトイレ。
【請求項５】
前記ウォッシャーノズルを前記中空軸に固定保持するステーを、前記ウォッシャーノズルおよび前記中空軸の外周に溶接、ロー付け、接着等の固定手段で取付けて設け、前記レバーおよび前記中空軸の回動角と前記ウォッシャーノズルの回動角を等しくしたことを特徴とする請求項１ないし４のいずれか１項に記載の手動式ウォッシャー付きポータブルトイレ。
【請求項６】
前記軸の長手方向中間部に支持板を、前記ウォッシャーノズルにステーをそれぞれ取付け、前記支持板の一端側と前記ステーの一端側を連結し、前記ウォッシャーノズルは前記軸の中心線を含む面内では回動自在であるが前記軸に直角な面内では変位不可として前記ウォッシャーノズルの回動角を前記レバーの軸に直角な面内の回動角に一致させたことを特徴とする請求項１に記載の手動式ウォッシャー付きポータブルトイレ。
【請求項７】
前記支持板の長手方向中間部と前記レバーの長手方向中間部を結ぶリンク部材を設け、前記レバー、前記軸、前記ステーおよび前記リンク部材で四節リンクを構成したことを特徴とする請求項６に記載の手動式ウォッシャー付きポータブルトイレ。
【請求項８】
前記四節リンクは、前記レバーが左右方向に回動させられると、前記ウォッシャーノズルを左右に回動させることを特徴とする請求項７に記載の手動式ウォッシャー付きポータブルトイレ。
【請求項９】
前記ウォッシャーノズルは一円弧状に形成されており、前記ウォッシャーノズルの先端部であって大径側である外側面に尻洗浄用の穴を形成し、前記尻洗浄用の穴は、前記レバーの軸に直角な面内の回動角と同じ角度だけ前記軸の軸心周りに円運動を行うことを特徴とする請求項１に記載の手動式ウォッシャー付きポータブルトイレ。
【請求項１０】
前記軸の長手方向中間部に第１のリンク部材を、前記台座部に第３のリンク部材をそれぞれ取付け、前記弁部の弁体がスライド可能に流体入力ブロック本体に係止して第２のリンク部材を構成し、これによりクランクスライダー型の四節リンクを構成したことを特徴とする請求項６ないし９のいずれか１項に記載の手動式ウォッシャー付きポータブルトイレ。
【請求項１１】
ポータブルトイレに付設され、ポータブルトイレの台座部に取付けられる給水部を含み、前記給水部からの液体をポータブルトイレのボウルに噴射可能な尻洗浄用の手動式ウォッシャーであって、
前記ウォッシャーは、先端部に握りが形成されかつ台座部の一方の側面側に配設されたレバーと、台座部の両側面間に延び、その一端側に前記レバーの先端部が固定して取付けられる軸と、前記軸に対して固定された一円弧状のウォッシャーノズルと、前記ウォッシャーノズルに前記給水部から水または温水を含む液体を選択的に供給する弁部とを備え、前記レバーの回動角と前記ウォッシャーノズルの回動角を一致させたことを特徴とする手動式ウォッシャー。
【発明の詳細な説明】
【技術分野】
【０００１】
本発明は、ウォッシャー付きポータブルトイレおよびウォッシャーに係り、特に電源等の手段を必要とせずに手動で動作可能な手動式ウォッシャー付きポータブルトイレおよび手動式ウォッシャーに関する。
【背景技術】
【０００２】
傷病人や身体不具合な人または高齢者等の車椅子を使用する人およびベッドから容易に離れることができない人のために、ポータブルトイレが準備されている。このようなポータブルトイレは、例えば病院や介護設備で使用される場合にはベッドのそばに用意されている。また、車椅子で出かける場合等には車椅子での使用を考慮して、車椅子の座面に配置可能となっている。このようなポータブルトイレの例が、特許文献１ないし４に記載されている。
【０００３】
特許文献１には、一般各種便器に取り付け可能で、かつポータブルトイレとしても使用できる敬老便器が開示されている。この公報に記載の敬老便器では、便座の左右に手つき台が設けられており、便器後部を前側に出すことで便器背面にウォッシャーや蓋取付け部を設けることを可能にしている。
【０００４】
特許文献２には、汚物経路側ユニットを分離することができる水洗ポータブルトイレ装置が開示されており、具体的には、汚物を処理する回転動作部を備えた汚物経路側ユニットと、汚物経路側ユニットの動作部を駆動させる回転駆動部を備えた非汚物経路側ユニットと、動力伝達機構を水洗ポータブルトイレ装置が備えている。そして、汚物経路側ユニットの組立状態を維持したまま回転動作部から非汚物経路側ユニットの回転駆動部を分離可能にしている。
【０００５】
特許文献３には、歩行困難な高齢者等が、車椅子に座ったまま緊急に用が足せて、洗浄装置が簡単で、安全かつ軽い睡眠までとれる機能を備えたウォッシャー付きのポータブルトイレを備えたリクライニング車椅子が開示されている。この公報に記載の車椅子では、車椅子の座部に洋式トイレの便座を設け、その裏側にポリエチレン袋製汚物入れを装着してポータブルトイレとしている。左右の肘掛けにビニール製蛇腹式給湯ポンプを取付け、その中に温湯を入れ、給湯ポンプの先に連結したステンレス管を通して温湯を噴出させてウォッシャーとしている。
【０００６】
さらに特許文献４には、障害者や足腰の弱くなった高齢者が、車椅子を使って自由に移動でき、さらに車椅子に座ったままで容易に用便ができるようにして、車椅子を利用する人や介護するひとの負担を軽減することが開示されている。この車椅子では、金属製にて構成された車椅子の座面に穴を開け、それを支持する部分を金属の枠で構成し、その内部に局部および便流部をスイングするノズルによる洗浄と温風による殺菌および消臭ができる蓄電池駆動のポータブルトイレと、洗浄用、汚物用、消臭用の各タンクが備えられている。
【先行技術文献】
【特許文献】
【０００７】
【特許文献１】特開２００５−１６９０４９号公報
【特許文献２】特開２０１８−４０１１４号公報
【特許文献３】実用新案登録第３１２８７１１号公報
【特許文献４】実用新案登録第３１８１６７１号公報
【発明の概要】
【発明が解決しようとする課題】
【０００８】
ポータブルトイレを使用するのは、例えばベッド上またはベッドの傍、外出先等の容易には洗浄水の供給ができない、および／または電源を見つけ出すことが困難であることが多い。そのため、洗浄水に関しては予め必要と思われる量を準備しておき、電源に関しては商用電源が身近にある場合を除いて、電池を備えるのが一般的である。電池や洗浄水を予め準備する場合には、ポータブルトイレの構造や付属品も含めて、重量が増大する。特に外出先での使用においては、洗浄水が十分あったとしてもポンプ等を使用するために、装置が大がかりになる。
【０００９】
上記特許文献１、２には、尻洗浄用ウォッシャー（以下単に、ウォッシャーとも称す）が開示されているが、いずれも電動式の市販のウォッシャーであるので、電力が必須である。また、上記特許文献３のウォッシャーは手押しポンプ式であり電力は必要としないものの、高齢者等が自力で使用するのでポンプ動力が小さく、ノズルを尻位置に近づける必要がある。その結果、ウォッシャーを使用しないときにもノズルが尻位置近くに取り残されてしまう。また、特許文献４には横旋回するノズルを備えたウォッシャーが開示されているが、ノズルをほぼ水平面で旋回させるためにノズル設置空間が増大するとともに、これらは電動であるので、電力が必要となる。
【００１０】
本発明は上記従来技術の不具合に鑑みなされたものであり、その目的は、ウォッシャー付きポータブルトイレで用いるウォッシャーの設置面積を増大することなく、簡易にウォッシャーノズルをボウル内の尻洗浄に好適な位置に出し入れできるようにすることである。また、外出時にも好適なように、人力も含めて電力等の一切の外部動力を使用することなく、ウォッシャーから尻洗浄水を尻洗浄に好適な位置へ噴出できるとともに、尻洗浄の要否の切換を手動で可能にすることにある。
【課題を解決するための手段】
【００１１】
上記目的を達成する本発明の特徴は、尻洗浄用の手動式ウォッシャー付ポータブルトイレが、バケツ状に構成された可搬式のボウルと、この可搬式ボウルを取り外し可能に収容するとともに使用者が着座可能な台座部と、この台座部に取付けられた給水部を含み、この給水部からの液体を前記ボウルに噴射可能なウォッシャーを備え、前記ウォッシャーは、先端部に握りが形成されかつ前記台座部の一方の側面側に配設されたレバーと、前記台座部の両側面間に延び、その一端側に前記レバーの一端部が固定して取付けられる軸と、前記軸に対して向きが固定された弧状のウォッシャーノズルと、前記ウォッシャーノズルに前記給水部から水または温水を含む液体を選択的に供給する弁部とを備え、前記軸を介して前記レバーと前記ウォッシャーノズルの回動角を一致させたことにある。
【００１２】
そしてこの特徴において、前記軸は中空軸であり、この中空軸の長手方向中間部に流体出力穴を形成し、この流体出力穴に連通する流体出力部と、前記ウォッシャーノズルと前記流体出力部を接続する接続手段とを設けるのが望ましく、前記ウォッシャーノズルは一円弧状に形成されており、前記ウォッシャーノズルの先端部であって使用者の尻に最も接近する外側面に尻洗浄穴を形成し、前記尻洗浄穴は、前記レバーの回動角と同じ角度だけ前記中空軸の中心線周りに円運動を行うことが好ましい。
【００１３】
また上記特徴において、前記給水部は前記台座部の上方に位置する水容器を含み、前記中空軸の長手方向中間部であって前記流体出力穴が設けられた位置とは異なる位置に流体入力穴が形成されており、前記弁部は、前記中空軸への取り付け穴が形成されかつ前記台座部に固定された流体入力ブロックを有し、前記水容器と前記流体入力ブロックを接続する接続手段を設け、前記流体入力ブロックに、前記中空軸への取付け穴と半径方向外側から連通する半径方向穴を形成し、前記レバーを回動することにより、前記半径方向穴と前記流体入力穴が連通または閉塞されて前記水容器に収容された水を前記中空軸へ供給または供給遮断するようにするのがよい。
【００１４】
さらに上記特徴において、前記ウォッシャーノズルを前記中空軸に固定保持するステーを、前記ウォッシャーノズルおよび前記中空軸の外周に溶接、ロー付け、接着等の固定手段で取付けて設け、前記レバーおよび前記中空軸の回動角と前記ウォッシャーノズルの回動角を等しくすることが好ましく、前記軸の長手方向中間部に支持板を、前記ウォッシャーノズルにステーをそれぞれ取付け、前記支持板の一端側と前記ステーの一端側を連結し、前記ウォッシャーノズルは前記軸の中心線を含む面内では回動自在であるが、前記軸に直角な面内では変位不可として前記ウォッシャーノズルの回動角を前記レバーの軸に直角な面内の回動角に一致させるのが望ましい。
【００１５】
さらにまた、前記支持板の長手方向中間部と前記レバーの長手方向中間部を結ぶリンク板を設け、前記レバー、前記軸、前記ステーおよび前記リンク部材で四節リンクを構成してもよく、前記四節リンクは、前記レバーが左右方向に回動させられると、前記ウォッシャーノズルを左右に回動させるようにしてもよい。また、前記ウォッシャーノズルは一円弧状に形成されており、前記ウォッシャーノズルの先端部であって大径側である外側面に尻洗浄用の穴を形成し、前記尻洗浄穴は、前記レバーの軸に直角な面内の回動角と同じ角度だけ前記軸の軸心周りに円運動を行うようにしてもよい。また、前記軸の長手方向中間部に第１のリンク部材を、前記台座部に第３のリンク部材をそれぞれ取付け、前記弁部の弁体がスライド可能に流体入力ブロックに係止して第２のリンク部材を構成し、これによりクランクスライダー型の四節リンクを構成してもよい。
【００１６】
上記目的を達成する本発明の他の特徴は、ウォッシャーが、ポータブルトイレに付設されポータブルトイレの台座部に取付けられた給水部を含み、前記給水部からの液体をポータブルトイレのボウルに噴射可能であり、前記ウォッシャーは、先端部に握りが形成されかつ台座部の一方の側面側に配設されたレバーと、台座部の両側面間に延び、その一端側に前記レバーの先端部が固定して取付けられる軸と、前記軸に対して固定された一円弧状のウォッシャーノズルと、前記ウォッシャーノズルに前記給水部から水または温水を含む液体を選択的に供給する弁部とを備え、前記レバーの回動角と前記ウォッシャーノズルの回動角を一致させたことにある。
【発明の効果】
【００１７】
本発明によれば、ウォッシャー付きポータブルトイレで用いるウォッシャーのウォッシャーノズルを円弧形としたので、レバーの回動と一緒にウォッシャーノズルが軸周りに回動するので、ウォッシャーの設置面積を増大することなく、簡易にウォッシャーノズルをボウル内の尻洗浄に好適な位置に出し入れできる。この状態で、ポータブルトイレの座面から適宜の高さにＰＥＴボトル等を利用した給水部を配設したので、動力を使用することなくウォッシャーから尻洗浄水を尻洗浄に好適な位置へ噴出できる。
【図面の簡単な説明】
【００１８】
【図１】本発明に係るウォッシャー付きポータブルトイレの一実施例の斜視図である。
【図２】図１に示したポータブルトイレのウォッシャーを示す図であり、（ａ）図は正面部分断面図、（ｂ）図は部分斜視図である。
【図３】図２に示したウォッシャーの動作を説明する図であり、（ａ）図は模式斜視図、（ｂ）図は模式側面図である。
【図４】本発明に係るウォッシャーを備えたポータブルトイレのウォッシャーの他の実施例の図であり、（ａ）図は正面部分断面図であり、（ｂ）図は斜視図である。
【図５】図４に示したウォッシャーの、レバーに対応する動作を説明する図である。
【図６】図４に示したウォッシャーの主要部の図であり、（ａ）図はその正面図、（ｂ）図はその側面図である。
【図７】図４に示したウォッシャーが備える切換弁の一実施例の動作を説明する図であり、（ａ）、（ｃ）図はＯＮ状態、（ｂ）、（ｄ）図はＯＦＦ状態を示す。
【図８】他の実施例における、レバーの変形例を説明する図である。
【発明を実施するための形態】
【００１９】
以下、ウォッシャー付きポータブルトイレのいくつかの実施例について、図面を用いて説明する。図１は、本発明に係るポータブルトイレ１００の一実施例の斜視図である。ポータブルトイレ１００は、改装した車椅子式のカートにも搭載できる大きさと重量に構成されている。しかしながらこのポータブルトイレ１００は、トイレまでの歩行が困難な人がベッドサイドで使用することもできるように構成されている。
【００２０】
ポータブルトイレ１００は、使用者が着座する着座部を兼用する、中央部に卵形の開口が形成され使用者が着座可能な蓋２５と、使用者の排泄物を一時的に収容するボウル１０と、台座部２０と、台座部２０に固定可能な給水部３０と、図１では破線で示したウォッシャー２００を備える。台座部２０は、使用者が蓋２５に着座したときに両腕を休める肘掛けになる最上部を有する両側面壁２２、２３、および使用者が着座したときに背面から支持する背面壁２４を周囲部に有し、下部にボウル１０を取り外し可能に収容する収容部２６を備える。ウォッシャー２００は、背面壁２４の内部に配設されている。ここで、背面壁２４は、図１において符号２４が付されている部分である背もたれ部と、破線で示されたウォッシャー２００が収納されている背面壁下部とを備えている。ウォッシャー２００は、この背面壁下部の内部に配設されている。
【００２１】
ウォッシャー２００の右側端部であってポータブルトイレ１００の外部空間まで延びるレバー２２０を、ウォッシャー２００は有する。レバー２２０の上端には、本実施例では球状である握り２２２が取付けられている。レバー２２０の下端部は詳細を後述する回動軸部２３０に連結しており、そのため台座部２０の右側面壁２３には貫通穴２３ａが形成されている。回動軸部２３０やレバー２２０は、ウォッシャー２００を構成する。なお、本実施例ではレバー２２０を右側に配置しているが、使用者の利き腕に応じてレバー２２０を左側に配置することも可能である。両側面壁２２、２３の上部には、ポータブルトイレ１００を持ち運ぶための持ち手部２７が矩形穴状に形成されている。
【００２２】
蓋２５は、後端部を中心に水平位置から垂直位置を超えた角度まで回動可能であり、つるを有するバケツ状に構成された可搬式のボウル１０を、収容部２６へ収容するときおよび収容部２６から取り出すときに回動される。なお本実施例では、ボウル１０は有底のボウル１０であって汚物を一時保管しているが、ボウル１０に処理部を連接して使用後の臭気対策をするようにしてもよい。その場合、ボウルの底面部には開口が形成され、この開口をホース等で処理部に接続して汚物を処理部に移し、処理液で消臭処理等を実施する。
【００２３】
ところで本発明に係るポータブルトイレ１００のウォッシャー２００は、尻洗浄用である。ウォッシャー２００は、詳細を後述するが、ウォッシャーノズル２１０を有しており、ウォッシャーノズル２１０の先端部に形成した尻洗浄穴２１２から温水または水を噴射可能な構成になっている。そして尻洗浄時にはウォッシャーノズル２１０を使用者の尻付近に配置し、ウォッシャーノズル２１０を使用しないとき、すなわち排泄時等には動作の邪魔にならないようボウル１０から退避させる。そのため本実施例では、可搬式のボウル１０の背面側であって上部にウォッシャーノズル２１０が回動自在に出入りする出入り穴１２を形成している。出入り穴１２からのウォッシャーノズル２１０の出入りは、台座部２０の背面側空間（背面壁下部）に配設したウォッシャー２００の主要部を介して、レバー２２０を用いて手動で制御される。したがって、一切の外部動力が不要な手動式のポータブルトイレ１００が実現される。
【００２４】
なお本実施例のウォッシャー２００では、ウォッシャーノズル２１０がボウル１０内に出入りするため、ウォッシャーノズル２１０をボウル１０から退避させたときに保管保持する空間が、ボウル１０の背後に必要となる。この空間が大きくなるとポータブルトイレ１００全体の形状が大きくなり、可搬性が損なわれる。そのため、ウォッシャー２００の前後方向の可動範囲の大きさＬｅ（背面壁下部の幅）をできるだけ小さくすることが望まれている。
【００２５】
ウォッシャーノズル２１０に供給する水または温水は、ポータブルトイレ１００の特性から、例えばカートに積載した場合等でも利用可能なように、所定量以上の水または温水を保管できる構造としている。この所定量は、ウォッシャーノズル２１０の尻洗浄穴２１２から噴射する水または温水の噴射速度と、単位時間当たりの噴射量、および噴射持続時間から決定される。本発明者らの実験的検討から、所定量は２リットル入りのＰＥＴボトルをほぼ満杯にすれば十分であった。但し、その場合、所定噴射速度・流量（尻洗浄に十分な噴射速度及び流量）を得るために、ＰＥＴボトル容器を逆さにして、その出口（キャップ部）をウォッシャーノズル２１０または出入り穴１２の位置から４０〜５０ｃｍ以上高くする、つまり４０〜５０ｃｍ以上のヘッド（水頭）を設定すれば良いことが分かった。このとき、水または温水が流通する管の内径は８ｍｍ以上、より好ましくは１０ｍｍ以上が必要であり、内径の上限は、極端でなければ大きいほど良いが、１２ｍｍ以下ならば問題ないことが実験で判明した。また、８ｍｍ未満の内径では、所定噴射速度・流量が出ないことも実験により判明した。
また、ＰＥＴボトル等のように外部に水タンクを備えるのではなく、背面壁２４の背もたれ部の内部に水タンクを備えることができる。その場合、背もたれ部の位置により水頭が２０〜３０ｃｍになることがある。そのときは、所定噴射速度・流量を得るために水または温水が流通する間の内径を１３ｍｍ以上にすることが好ましくより好ましくは１４ｍｍ以上である。内径上限は、極端でなければ大きいほど良いが、２０ｍｍ以下ならば問題ないことが実験により判明した。
【００２６】
本実施例においては、ポータブルトイレ１００の左後方であって、台座部２０に一端側を固定した固定具３８と、この固定具３８に連接した環状の受け具３９を用いて、水または温水を貯蔵可能な水容器３２をポータブルトイレ１００に対して安定して保持している。水容器３２はあらゆる種類のものを使用可能であるが、２リットル入りＰＥＴボトルを逆さまにして再利用すれば衝撃等の外力にも耐え、容易に入手できるので便利である。
ＰＥＴボトルのキャップ部に応じた形状の接続具３６を用いて可撓性の接続ホースまたはチューブ４２とＰＥＴボトル３２を接続する。ＰＥＴボトル３２の底面には注水および空気抜きのための開口３４が形成されていても良い。またこの開口３４には、逆さにしても水が漏れないように蓋を付けるようになっていることが好ましい。
注水及び空気抜きのためには、開口３４の代わりにＰＥＴボトル３２の接続具３６側の口を用いても良い。その際、そこに形成された空気抜きの穴から水が漏れないように、ＰＥＴボトル３２内の水面より上まで空気抜きの穴から中空の管を接続することが好ましい。
【００２７】
水容器３２にＰＥＴボトルを再利用しているので、屋外での使用において噴射水が不足しても、他のＰＥＴボトルを利用するなどして容易に不足分を補充できる。このように本実施例では、ＰＥＴボトル内の水または温水の自重だけでウォッシャーノズル２１０から尻洗浄用の水または温水を噴射するので、電力等の他のエネルギ源を必要とせずに、簡易に排泄後の尻洗浄を実行できる。
【００２８】
次に、図２および図３を用いてウォッシャー２００を詳細に説明する。図２はウォッシャー２００の構成を示す図であり、同図（ａ）はその正面図を一部断面で示した図、同図（ｂ）はその主要部の斜視図である。図３はウォッシャー２００を構成するレバー２２０とウォッシャーノズル２１０の相互の運動状態を説明する図であり、同図（ａ）はレバー２２０とウォッシャーノズル２１０関係を示す模式斜視図であり、同図（ｂ）はそれらの関係を示す模式側面図である。
【００２９】
ウォッシャー２００は、ほぼ水平に延びる軸部２３０と、軸部２３０の右側端部に固定して取付けられたレバー２２０と、軸部２３０を構成する中空軸２３４の長手方向中間部に位置するノズル部２０８と、ノズル部２０８とは異なる中空軸２３４の他の長手方向中間部に位置する弁部２５０を備える。レバー２２０には上述したとおり、一端側に握り２２２が形成されている。一方他端側は、軸２３４を右側の側面壁２３に回転自在に支持する受け部２３２から外側に延びる補助軸２２６に、固定具２２５で固定されている。ここで軸２３４は、受け部２３２に図示しない手段により固定されている。これにより、レバー２２０を図２（ａ）の面外へ回動すると、レバー２２０の回動と同期して軸２３４が回動する。
【００３０】
図示したように、軸２３４は左右の側面壁２２、２３にわたって延びている。軸２３４の他端側は、左側の側面壁２２に固定して取付けた受け部２２ｂに挿入されており、受け部２２ｂは受け部２３２とともに、軸２３４を回動可能に支持する。なお、受け部２２ｂを自己潤滑性を有するプラスチック製とし、受け部２３２を金属製とすることで、受け部２３２とプラスチック製の側面壁２３の間、および受け部２２ｂと軸２３４の間の摺動運動のための潤滑性が得られるが、代わりにこれらの界面に潤滑材や準滑膜等の潤滑手段を適用することもできる。
【００３１】
中空軸２３４の内部には、尻洗浄用の水または温水が供給されるが、その水または温水が中空軸２３４内に広がるのを防止するために、軸方向（長手方向）に間隔を置いて２カ所ストッパ２３８が配設されている。ストッパ２３８は、限りある給水が有効に使用されるように、軸２３４の中空部のデッドスペースを減らしている。
【００３２】
ノズル部２０８は、弁部２５０を介して給水部３０から給水された水または温水を、使用者の臀部へ噴射する部分であり、先端部であって尻に最も近接する外側面２１１に尻洗浄穴２１２が形成されたウォッシャーノズル２１０と、接続具２１３を介してウォッシャーノズル２１０に接続する可撓性の接続ホース２１４と、一端側が軸２３４に溶接やロー付け等で取付けられ、軸２３４の半径方向外方に延びる出力パイプ２４２を備える。出力パイプ２４２にはホース継手２１６を介して接続ホース２１４が接続される。出力パイプ２４２が取付けられた軸２３４の長手方向位置では、出力パイプ２４２の内径穴位置に流体出力穴が形成されている。これにより、中空軸２３４の内部に流入した水または温水が、ウォッシャーノズル２１０へ流通することが可能になる。
【００３３】
ウォッシャーノズル２１０の向きを軸２３４に直角な方向に固定保持するために、ウォッシャーノズル２１０を両側から挟むように一対のステー２１８が配置されている。すなわち、ステー２１８の一端側は、ウォッシャーノズル２１０が延びる方向に沿ってウォッシャーノズル２１０の側面に溶接、ロー付けまたは接着で、他端側は軸２３４の外周面に溶接等で固定されている。
【００３４】
弁部２５０は、直方体上に構成された本体２５１を備え、本体２５１には軸２３４が貫通するための取付け穴２５７が形成されている。本体２５１の軸方向（左右方向）中間部には、軸２３４に取付けたときに半径方向に向く半径方向穴２５３が形成されている。半径方向穴２５３の外側端部には、ホース継手４３を介して給水部３０の接続ホース４２が接続されており、半径方向外側から弁体２５１内へ水または温水を供給する。本体２５１は軸２３４に対して回動可能に取付けられている。給水部３０からの水または温水が本体２５１から漏れるのを防止するために、本体２５１の内部であって軸方向に半径方向穴２５３の両側には、Ｏリング２５５を配設して良い。しかしながら、本発明で用いる程度の水圧の場合は、Ｏリング２５５を配設しなくても部材の嵌合の隙間を調整すれば水漏れを防ぐことができる。
【００３５】
本体２５１を軸２３４に取付けたときに半径方向穴２５３が位置する部分であって軸２３４の周方向１カ所には、軸２３４の中空部２３６と半径方向穴２５３を連通する流体入力穴２５２が形成されている。レバー２２０を回動させて、レバー２２０の動きと同期して回動する軸２３４に形成した流体入力穴２５２が半径方向穴２５３と重なると、給水部３０からの水または温水がウォッシャーノズル２１０側へ流出し、２つの穴２５２、２５３が完全に閉塞すれば水または温水の供給を遮断することが可能になる。
【００３６】
一方、ウォッシャーノズル２１０を使用しないときなどはレバー２２０を回動させないが、そのような状態では、流体入力穴２５２と半径方向穴２５３は周方向で異なる位置にあり、流体入力穴２５２の端面は軸２３４の外周面で塞がれる。これにより、給水部３０からの水または温水が、ウォッシャーノズル２１０側へ流出することが防止される。このように、軸２３４に形成した流体入力穴２５２は、軸２３４の回動角度に応じて選択的にウォッシャーノズル２１０への流路を開閉する弁として作用する。
【００３７】
なお、軸２３４の回動に本体２５１が連れ回りするのを防止するために、本体２５１の下部であって一側面には、脚部２６０ａと固定部２６０ｂからなるＬ字状の固定手段２６０が固定具２６２で固定されている。固定手段２６０の固定部２６０ｂは、台座部２０に固定具２６４で固定されている。
【００３８】
本実施例によれば、図３（ａ）、（ｂ）に示すように、レバー２２０をデフォルトの位置である実線で示した位置から、側面壁２３に沿って点線で示した位置まで前側へθ°だけ回動すると、レバー２２０が固定された軸２３４が回動し、軸２３４に対してその向きを固定されたウォッシャーノズル２１０も軸２３４周りにθ°だけ回動する。そこで、ウォッシャーノズル２１０の形状をその運動に合わせて、弧状、好ましくは一円弧状に形成する。このようにウォッシャーノズル２１０が軸２３４周りに円運動する回動構造としたので、従来の往復動型のウォッシャーノズルに比べて、台座部２０の背後でウォッシャーノズルが占有する占有空間を大幅に減らすことができる。また円運動にしたので、ウォッシャーノズル２１０の退避の際に他の部品との干渉を容易に避けることもできる。
【００３９】
なお尻洗浄に使用するためには、ウォッシャーノズル２１０はボウル１０内へ５０ｍｍ〜２００ｍｍ程度出ている必要があるので、ウォッシャーノズル２１０の曲率半径Ｒも５０〜２００ｍｍ程度としている。実験的に得られた結果では、最も好ましくは７５ｍｍであった。また、給水部３０からの給水量や尻洗浄時の快適さを考慮して、尻洗浄穴２１２の穴径をφ２〜３．５ｍｍにしている。実験的に得られた結果ではφ３．５ｍｍが最適であった。
【００４０】
次に本発明の他の実施例を、図４ないし図７を用いて説明する。図４は、図２に対応する図であり、（ａ）図はウォッシャー２００ａの一部を断面で示す正面図、（ｂ）図はウォッシャー２００ａの主要部の斜視図である。図５は、レバー２２０とウォッシャーノズル２１０の動作を説明する斜視図であり、図３（ａ）に対応する。図６は、ウォッシャー２００ａの主要部の側面図（図６（ａ））および正面図（図６（ｂ））である。図７は、弁部３６０の動作を説明する図である。つまり、図７（ａ）、（ｂ）は弁部３６０の主要部の縦断面図、図７（ｃ）、（ｄ）は水または温水の流入通路３９５および流出通路３９７部における横断面図であり、図７（ａ）、（ｃ）は、弁部３６０がＯＮ状態を示し、図７（ｂ）、（ｄ）はＯＦＦ状態を示す。
【００４１】
本実施例が上記実施例と異なるのは、ウォッシャーノズル２１０のボウル１０への前後方向出入りに加え、ボウル１０内で左右方向に先端部を振らすようにしたことにある。使用者が、着座部の蓋２５の左右方向中心位置に、正確に位置して着座しない場合でも、ウォッシャーノズル２１０の先端を左右に振ることで、適正位置にウォッシャーノズル２１０の尻洗浄穴２１２を使用者に対して位置させることを可能にしている。なお本実施例においても、レバー２２０の側面壁２３に沿う前後方向の回動が、軸の回動に一致するようにしている。
【００４２】
図４に示すように、握り２２２が設けられた端部とは反対側のレバー３２０の端部は、もはや軸３００に固定されてはおらず、軸３００とともに回動するのは維持しながら軸３００の長手方向には自在に回動できる構成となっている。そのため、軸３００の延長部に介在させた補助軸３２６には軸方向に長い長穴３２７が形成されており、補助軸３２６にレバー軸３２１の先端部を、軸３２５周りに回動可能に連結している。これによりレバー軸３２１、すなわちレバー３２０は長穴３２７に沿って回動できる。リンク部材３１０が、レバー軸３２１の長手方向中間部に取付け具３１１を用いて軸３１１周りに回動可能に取付けられている。リンク部材３１０の他端部は、ウォッシャーノズル２１０の向きを軸３００に対して固定するステー２１９の内の、レバー３２０側に位置するステー２１９に、取付け具３１３を介して軸３１４周りに回動可能に取付けられている。リンク部材３１０をレバー３２０とステー２１９間に延在させるために、側面壁２３にはリンク部材の運動を妨害しない大きな貫通穴２３ｂが形成されている。
【００４３】
一対のステー２１９の一端側（上端側）がウォッシャーノズル２１０に取付けられているのは図２に示す実施例と同様であるが、ステー２１９の他端側（下端側）は軸３００に直接連結はされていない。すなわち、軸３００の長手方向中間部に、一対の支持板３４２の下端部が軸３００を挟んで固定して配置している。一方、一対の支持板３４２の上端部は、対向する一対のステー２１９間に配置された保持具２１７を介してステー２１９の下端側に連結している。そして、一対の支持板３４２と一対のステー２１９は、連結部で互いに垂直な配置になっている。
【００４４】
図６で最もよく分かるように、一対の支持板３４２は、ＰＴＦＥのような潤滑性あるワッシャー３４４またはブッシュもしくは摺動面を介してステー２１９を貫通する軸３４３に連結しており、その結果、保持具２１７が取付けられたステー２１９の下端部に連結している。このように構成することにより、ステー２１９はレバー３２０が取付けられた軸３００の側面壁２３に沿う方向の回動（前後方向の回動）に対しては軸３００と共にしか動けず、すなわち回動については軸３００に対して相対的に変位不可であり、一方左右方向の振れに対応する軸３４３の中心線周りの回動は、自在となっている。
【００４５】
レバー３２０の先端部の軸３２５、レバー軸３２１の中間部に設けた軸３１２、ステー２１９に取付けた取付け具３１３を貫通する軸３１４および支持板３４２とステー２１９の連結部の軸３４３は、四節リンクの節を構成する。レバー３２０を左右方向に揺動すると、四節リンクが働いてステー２１９を揺動させ、ステー２１９により軸３００に対する向きを固定されたウォッシャーノズル２１０が左右に揺動する。
【００４６】
この動作を、ウォッシャー２００ａを模式的に示した図５を用いて説明する。レバー３２０を側面壁２３に沿ってデフォルト位置から前後（図５中、Ｆ方向またはＢ方向）にαだけ回動（面内回動とも称す）させると、ウォッシャーノズル２１０は、図２の場合と同様に、軸３００の動きを介して前後方向にαだけ回動する。この場合、ステー２１９と支持板３４２は、一体の剛な部品として運動する。
【００４７】
使用者がポータブルトイレ１００を使用時に、ウォッシャーノズル２１０の前後位置が適正位置になったら、ウォッシャーノズル２１０を左右に振ることでウォッシャーノズル２１０の左右位置を定める。すなわち、レバー３２０を左右方向（図５中、Ｒ方向またはＬ方向）に回動（面外回動とも称す）させる。レバー３２０の回動により四節リンクが作動して、リンク部材３１０が左右に引っ張られ、ステー２１９は軸３４３の位置で支持板３４２に対して回動し、ステー２１９と支持板３４２は全体として＜形または＞形に折れ曲がった形状になる。レバー３２０の回動角がβであったとすると、ステー２１９の回動角はβ'となり、レバー３２０の回動量とは異なる。しかし、ウォッシャーノズル２１０の左右方向の回動は、前後方向の回動とは異なり微調整であるので、使用しての違和感はない。
【００４８】
なおウォッシャーノズル２１０の左右方向の回動をデフォルト位置に戻すために、ステー２１９のバネ係止部３５５に一端を固定されたバネ３５４がステー２１９の両側に配置されている。バネ３５４の他端部は、軸３００に取付けた支持部材３５２に固定されている。これによりレバー３２０から手を離すと、左右のバネ３５４が釣り合ってウォッシャーノズル２１０をデフォルト位置の中立位置へ戻す。
【００４９】
ウォッシャー２００ａが、ウォッシャーノズル２１０の左右回動機構を備えたので、軸の内部を利用した弁機構を形成することが困難になった。そこで、軸内に水または温水を通す代わりに、弁部３６０を軸３００近傍に構成して装置の大型化を防いでいる。弁部３６０はクランクスライダ型の四節リンクを利用しており、軸３００の長手方向中間部であって図４では軸３００の下側に取付けた、一対の支持板３３２からなる第１のリンク部材３３２と、弁部３６０が備えるロッド状の弁体３６４である第２のリンク部材、弁体３６４が貫挿される本体としての流体入力ブロック３６２、および流体入力ブロック３６２の変位を制限する枠体３８０である第３のリンク部材を備える。一対の支持板３３２は、弁体３６４の先端部と潤滑性のあるワッシャーまたはブッシュ３３４を介して連結しており、支持板３３２に対して弁体３６４は回動可能である。軸３００が回動すると、支持板３３２はクランクとして作用する。
【００５０】
図７に詳細を示すように、弁部３６０は、軸方向に延びるロッド状の弁体３６４と、弁体３６４が貫挿される本体３６２とを備える。本体３６２には、弁体３６４がスライド可能に往復動する貫通穴３９８が形成されており、この貫通穴３９８に直交する方向に流入通路３９５と流出通路３９７が、貫通穴３９８を挟んで形成されている。流入通路３９５と流出通路３９７の出口側には継手取付け部３６６が形成されており、ホース継手３６５が接続される。ホース継手３６５には給水部３０が有する可撓性の接続ホース４２およびウォッシャーノズル２１０に接続する可撓性の接続ホース２１４が接続される。
【００５１】
弁体３６４の長手方向中間部には、流入通路３９５および流出通路３９７の外径と同程度の幅を有する小径部３９４が形成されている。弁体３６４が流体入力ブロック３６２に挿入される部分であって小径部３９４以外の部分は、同一径の大径部３９２に構成されている。流入通路３９５および流出通路３９７が貫通穴３９８と交差する部分を、弁体３６４の大径部３９２と小径部３９４が通過することにより、流入通路３９５と流出通路は非連通および連通状態になる。弁体３６４の往復動の際に水または温水が外部に漏れるのを防止するために、貫通穴３９８には軸方向に間隔を置いて複数のＯリング３９６が配置されてもよい。しかしながら、本発明で用いる程度の水圧の場合は、Ｏリング３９６を配置しなくても部材の嵌合の隙間を調整すれば水漏れを防ぐことができる。
【００５２】
図７（ａ）、（ｃ）に示すように、軸３００が回動して弁体３６４の小径部３９４が流入通路３９５および流出通路３９７と貫通穴３９８の交差部に達すると、流入通路３９５に導かれた給水部３０からの水または温水は小径部３９４の周囲部を通って流出通路３９７へ流出する。流出通路３９７は、ウォッシャーノズル２１０の中心部に形成された図示しない流路に連通しており、その流路の先端部に設けた尻洗浄穴２１２から給水部３０から導かれた水または温水が噴出するのを可能にする。これが弁部３６０のＯＮ状態である。
【００５３】
一方、図７（ｂ）、（ｄ）に示すように、軸３００が回動して弁体３６４の大径部３９２が流入通路３９５および流出通路３９７と貫通穴３９８の交差部を完全に塞ぐと、流入通路３９５に導かれた給水部３０からの水または温水は大径部３９２でせき止められ、ウォッシャーノズル２１０には、水または温水は供給されない。これが弁部３６０のＯＦＦ状態である。
【００５４】
図４（ａ）に戻って、弁部３６０が備える本体である流体入力ブロック３６２が、軸３００の回動とともに自由に移動するのを制限するために、流体入力ブロックの反軸３００側に枠体３８０が連結されている。具体的には、両枠部３８４および固定部３８６によりΠ字状に形成された枠体３８０の両枠部３８４を、潤滑性あるワッシャーまたはブッシュ３６８を介して軸３７０を用いて流体入力ブロック３６２に取付ける。これにより流体入力ブロック３６２は、枠体３８０に対して回動可能になる。弁体３６４に対向する固定部３８６の背面側である固定面３８２を、台座部２０に固定する。枠体３８０が台座部２０に対して固定されたので、流体入力ブロック３６２の運動も規制される。このようにして、クランクスライダー型の四節リンクが完成する。
【００５５】
次に、図４に示した実施例に用いるレバーの変形例を図８を用いて説明する。本変形例のレバー３２０ｂが図４の実施例のレバー３２０と異なるのは、レバー３２０ｂの端部の補助軸３２６への取付け方である。本変形例では受け部２３２ａの端面に偏心して取付け具３２４を取付け、軸３２３により取付け具３２４を介してレバー軸３２１を受け部２３２ａに連結している。これにより、レバー３２０ｂを面内回動すれば、軸３００と同角度でウォッシャーノズル２１０を回動させることができ、またレバー３２０ｂを面外回動すればウォッシャーノズル２１０を左右に首振りさせることができる。本変形例によっても簡易な方法でウォッシャーノズル２１０を直交する２方向へ回動させることができる。
【００５６】
上記各実施例および変形例によれば、使用者自身が操作可能なレバーを面内回動させるだけで、円弧状のウォッシャーノズルを適正な使用位置へ移動させること、および使用位置から退避させることを、軸周りの円運動だけで達成できる。これにより、ウォッシャーの小型簡素化が可能になるとともに、ウォッシャーが占有する空間を低減でき、ウォッシャーが付設されたポータブルトイレであっても、大型化を防ぐことが可能になる。
【００５７】
また、ウォッシャーの動作に、電力等の一切の外部動力を不要にした上に必要な動作もレバーの回動動作だけであるので僅かな力で済み、高齢者等の体力の衰えた使用者であっても使用可能である。さらに、外部動力を使用できない戸外への外出時等においても、容易にウォッシャーを使用することができる。さらにまた、使用する水もＰＥＴボトル程度の量で済み、不足の場合には最悪の場合に自販機から飲料水を購入して供給すれば良く、給水不足を懸念する必要が無い。
【００５８】
さらに本発明の実施例によれば、ウォッシャーノズルの直交する２方向への回動も可能であり、ポータブルトイレの使用者がポータブルトイレの中心に着座しなくとも、ウォッシャーノズルを左右方向に微調整して適正位置へ移動させることが可能になり、ウォッシャー使用の快適性が向上する。
【符号の説明】
【００５９】
１０…（可搬式）ボウル、１２…出入り穴、２０…台座部、２２…（左）側面（壁）、２２ｂ…、受け部、２３…（右）側面（壁）、２３ａ、２３ｂ…貫通穴、２４…背面（壁）、２５…蓋（着座部）、２６…収容部、２７…持ち手部、３０…給水部、３２…水容器、３４…開口、３６…接続具、３８…固定具、３９…受け具、４２…接続ホース（接続手段）、４３…ホース継手、１００…ポータブルトイレ、２００、２００ａ…ウォッシャー、２０８、２０８ａ…ノズル部、２１０…ウォッシャーノズル、２１１…外側面、２１２…尻洗浄穴、２１３…接続具、２１４…接続ホース、２１６…ホース継手、２１７…保持具、２１８、２１９…ステー、２２０…レバー、２２１…レバー軸、２２２…握り、２２３…係止具、２２５…固定具、２２６…補助軸、２３０…回動軸部、２３２…受け部、２３４…（中空）軸、２３６…中空部（水貯留部）、２３８…ストッパ、２４２…出力パイプ、２４４…流体出力穴、２５０…弁部、２５１…本体、２５２…流体入力穴、２５３…半径方向穴、２５５…Ｏリング、２５７…取付け穴、２５８…流体入力ブロック、２６０…固定手段、２６０ａ…脚部、２６０ｂ…固定部、２６２、２６４…固定具、３００…軸、３１０…リンク部材、３１１…取付け具、３１２…軸（リンクの節）、３１３…取付け具、３１４…軸（リンクの節）、３２０…レバー、３２１…レバー軸、３２３…軸、３２４…取付け具、３２５…軸（リンクの節）、３２６…補助軸、３２７…長穴、３３２…支持板（第１のリンク部材）、３３４…ワッシャー、３３６…軸（リンクの節）、３４２…支持板、３４３…軸（リンクの節）、３４４…ワッシャー、３５２…支持部材、３５４…バネ、３５５…バネ係止部、３６０…弁部、３６２…（流体入力ブロック）本体、３６４…弁体（第２のリンク部材）、３６５…ホース継手、３６６…継手取付け穴、３６８…ワッシャー、３７０…軸（リンクの節）、３８０…枠体（第３のリンク部材）、３８２…固定面、３８４…枠部、３８６…固定部、３９２…大径部、３９４…小径部、３９５…流入通路、３９６…Ｏリング、３９７…流出通路、３９８…貫通穴（弁体用穴）
【図１】
2020199060.tif 000003
【図２】
2020199060.tif 000004
【図３】
2020199060.tif 000005
【図４】
2020199060.tif 000006
【図５】
2020199060.tif 000007
【図６】
2020199060.tif 000008
【図７】
2020199060.tif 000009
【図８】
2020199060.tif 000010